(57)【特許請求の範囲】
【請求項１】
物体検知用の検知線に基づいて物体を検知するセンサ部を有するセンサユニットが、その後方の壁面に設置される防犯センサであって、
前記センサユニットに壁面からの取り外しを検出するタンパースイッチが装着され、
前記タンパースイッチは、スイッチ本体と、オンオフボタンと、壁面の凹凸に応じて突出方向位置を変化させるとともに、オンオフボタンのオンオフ方向に対して直交する方向に移動するように配置されて、当該移動によりオンオフボタンを直接的に押圧する一定長さのシャフトと、前記シャフトに取り付けられて、シャフトの移動方向に壁面の凹凸に応じたばね力を付加する圧縮ばねとを備え、
前記センサユニット内に、前記シャフトの移動方向における前記スイッチ本体のオンオフボタン位置を超えた前方を含むスペースが設けられ、壁面の凹凸に応じて、前記スペース内で前記シャフトの移動量を吸収して、前記オンオフボタンのオン状態を保持するとともに、当該移動方向への前記センサユニットの取り外しにより前記オンオフボタンがオフ状態となるとともに、
前記オンオフボタンを押圧する前記シャフトの先端が次第に先細りとなるテーパ付き防犯センサ。
【発明の詳細な説明】
【技術分野】
【０００１】
本発明は、防犯センサが壁面に設置されて、壁面から防犯センサが取り外されるのを検知するタンパースイッチ付き防犯センサに関する。
【背景技術】
【０００２】
図５に示すように、この種の防犯センサ５１は、物体検知用の検知線に基づいて物体を検知するセンサ部Ｓを有するセンサユニット５２が凹凸を含む壁面Ｋに設置されるもので、センサユニット５２に壁面Ｋからの取り外しを検出するタンパースイッチ５３が装着されている。例えば、センサユニット５２のフロント（前側）ボックスＦにセンサ部Ｓが収納され、バック（後側）ボックスＢに図示しない電池や通信機などが収納される。バックボックスＢが設けられない場合もある。図５の部分拡大図に示すように、この防犯センサ５１は、タンパースイッチ５３と壁面Ｋ間でシャフト５７の後端にばねのような弾性材５８が設けられ、シャフト５７の移動量（ストローク）を一定程度吸収して、壁面Ｋの凹凸に対応する。
【０００３】
図５では、センサユニット５２が凹を含む壁面Ｋに設置される直前状態を示す。矢印方向Ａにセンサユニット５２を壁面Ｋに押し付けて固定することにより、シャフト５７がスイッチ本体５６のオンオフボタン５６ａを押圧して、オン状態となる。矢印方向Ａの反対方向に防犯センサ５１を取り外すことによりオフ状態となる。また、ばねに代えてスポンジやゴムなどを使用することも知られている。
【０００４】
従来における取付面に凹凸があっても対応可能なタンパースイッチ付き防犯センサとして、タンパースイッチの作動部材（シャフト）に、強さの異なる２種類のバネを用いた２重スライド構造のものを採用し、シャフトのタンパースイッチ側と中央部にフランジを設けたものが挙げられる（例えば、特許文献１）。
【先行技術文献】
【特許文献】
【０００５】
【特許文献１】特開２０１０−１６０９０８号公報
【発明の概要】
【発明が解決しようとする課題】
【０００６】
しかし、図５の従来の防犯センサは、タンパースイッチ５３のシャフト５７がオンオフボタン５６ａをそのオンオフ方向に押しており、例えば壁面Ｋの凹部が大きいとき（破線部α）、弾性材の伸長だけではシャフトの移動量（ストローク）を吸収できなくなり、スイッチオンするにはシャフト長を長くする必要がある。その一方、壁面の凸部が大きいとき、弾性材の圧縮だけではシャフトの移動量を吸収できなくなり、タンパースイッチと壁面間に収納するには、シャフト長を短くする必要がある。したがって、壁面の凹凸が大きいとき、一定長さのシャフトでは対応できない場合がある。ばねに代えてスポンジやゴムなどを使用した場合、経年変化によって変形したりつぶれたりすることを考慮する必要があって設計が煩雑となり、また、シャフトの移動量が変化するため、動作が不安定となる場合がある。
【０００７】
さらに、特許文献１の防犯スイッチは、２重スライド構造を採用しているので、その構造が複雑になる。また、図５のスイッチと同様に、壁面の凹部が大きいときシャフト長を長くする必要があり、凸部が大きいときシャフト長を短くする必要があって、やはり一定長さのシャフトでは対応できない場合がある。
【０００８】
本発明は、前記の問題点を解決して、設置する壁面の凹凸が大きくても、簡単な構造でこれに対応することができ、タンパースイッチを容易に安定的に動作させることが可能なタンパースイッチ付き防犯センサを提供することを目的とする。
【課題を解決するための手段】
【０００９】
前記目的を達成するために、本発明に係るタンパースイッチ付き防犯センサは、物体検知用の検知線に基づいて物体を検知するセンサ部を有するセンサユニットが、その後方の壁面に設置される防犯センサである。前記センサユニットに壁面からの取り外しを検出するタンパースイッチが装着され、前記タンパースイッチは、スイッチ本体と、オンオフボタンと、オンオフボタンのオンオフ方向に対して直交する方向に移動するように配置されて、当該移動によりオンオフボタンを押圧する一定長さのシャフトと、前記シャフトに取り付けられて、シャフトの移動方向に壁面の凹凸に応じたばね力を付加する圧縮ばねとを備えている。前記センサユニット内に、前記シャフトの移動方向における前記スイッチ本体のオンオフボタン位置を超えた前方を含むスペースが設けられ、壁面の凹凸に応じて、前記スペース内で前記シャフトの移動量を吸収して、前記オンオフボタンのオン状態を保持するとともに、当該移動方向への前記センサユニットの取り外しにより前記オンオフボタンがオフ状態となる。
【００１０】
この構成によれば、一定長さのシャフトがタンパースイッチのオンオフボタンのオンオフ方向に対して直交する方向に移動するように配置され、シャフトの移動方向におけるスイッチ本体のオンオフボタン位置を超えた前方を含むスペースを設け、壁面の凹凸に応じて、スペース内でシャフトの移動量を吸収して、オンオフボタンのオン状態を保持する。したがって、シャフトがオンオフボタンのオンオフ方向に対して直交する方向（移動方向）に移動し、かつシャフトの移動量を吸収するスペースが確保されているので、壁面の凹凸が大きくても容易にこれに対応してタンパースイッチを安定的に動作させることができる。また、従来と異なり、シャフトが移動方向に移動してオンオフボタンを押圧するので、オンオフボタンに直接オンオフ方向に大きな押圧力がかからないから、タンパースイッチが破損しにくい。これにより、設置する壁面の凹凸が大きくても、簡単な構造でこれに対応することができ、タンパースイッチを容易に安定的に動作させることが可能となる。
【００１１】
本発明では、前記オンオフボタンを押圧する前記シャフトの先端が次第に先細りとなるテーパ形状になっていることが好ましい。この場合、シャフトはそのテーパ形状により移動に伴って次第にオンオフボタンを押圧するので、シャフトがオンオフボタンのオンオフ方向に対して直交する方向に移動しても、スムーズにオンオフボタンを押圧できる。
【００１２】
また、前記防犯センサが平面状の壁面に設置される場合と比べて、凹を含む壁面に設置される場合には、オン状態を保持する前記シャフトの移動量が小さく、凸を含む壁面に設置される場合には、前記シャフトの移動量が大きいことも好ましい。したがって、移動量の大きいシャフトを収納するように当該移動方向の前方にスペースが確保されているから、より容易に壁面の凹凸に対応し、設計に幅を持たせることが可能となる。
【発明の効果】
【００１３】
本発明では、シャフトがオンオフボタンのオンオフ方向に対して直交する方向（移動方向）に移動し、かつ移動方向の前方にシャフトの移動量を吸収するスペースが確保されているので、壁面の凹凸が大きくても容易にこれに対応してタンパースイッチを安定的に動作させることができる。
【図面の簡単な説明】
【００１４】
【図１】本発明の一実施形態に係るタンパースイッチ付き防犯センサを示す断面図である。
【図２】（Ａ）は図１の防犯センサを示す部分拡大図、（Ｂ）はタンパースイッチの他例を示す図である。
【図３】図１の防犯センサを示す部分拡大図である。
【図４】（Ａ）、（Ｂ）は図１の防犯センサの動作を示す部分拡大図である。
【図５】従来のタンパースイッチ付き防犯センサを示す断面図である。
【発明を実施するための形態】
【００１５】
以下、本発明の実施形態を図面にしたがって説明する。図１は本発明の一実施形態に係るタンパースイッチ付き防犯センサ１を示す断面図である。この防犯センサ１は、物体検知用の検知線に基づいて物体を検知するセンサ部Ｓを有するセンサユニット２が取付面に凹凸を含む壁面Ｋに設置されるもので、センサユニット２に壁面Ｋからの取り外しを検出するタンパースイッチ３が装着されている。図１は、センサユニット２が凹部Ｋ１を含む壁面Ｋに設置される直前状態を示し、図２（Ａ）はセンサユニット２が壁面Ｋに矢印方向Ａに押し付けられて設置された状態を示す。
【００１６】
図１のセンサユニット２の中央部に前後側（図では左右側）のボックスを区画するインナーシャーシ５が設けられており、例えばフロント（前側）ボックスＦにセンサ部Ｓなどが収納され、バック（後側）ボックスＢに図示しない電池や通信機などが収納されている。なお、防犯センサ１はバックボックスＢを有しなくてもよい。この例では、防犯センサ１は、これら電池や通信機を備えた無線方式である。有線方式ではセンサユニット２が壁面から取り外されると、配線切断により直ちに検知できるが、無線方式ではこの検知ができないためタンパースイッチによる検知となる。無線方式は有線方式と比べて配線の手間がかからず、施工しやすい利点がある。
【００１７】
センサユニット２は、バックボックスＢの背面部に設けられた取付ベース４によって図示しないネジ止め等で壁面Ｋに固定される。センサ部Ｓは、例えば、屋外の検知エリア内の人体からの赤外線（検知線）を受けて侵入者を検知する受動型赤外線（ＰＩＲ）センサである。
【００１８】
前記インナーシャーシ５の下部にタンパースイッチ３のスイッチ本体６が取り付けられている。図１の拡大図に示すように、タンパースイッチ３は、このスイッチ本体６と、オンオフボタン６ａと、一定長さのシャフト７と、シャフト７に取り付けられた圧縮ばね８とを備えている。なお、タンパースイッチ３自体を防水仕様とすることができる。
【００１９】
シャフト７は、オンオフボタン６ａのオンオフ方向Ｙに対して直交する方向（移動方向）Ｘに移動するように配置されて、当該移動によりオンオフボタン６ａを押圧する。つまりタンパースイッチ３を横向けにして使用している。圧縮ばね８は壁面Ｋの凹凸に応じてシャフト７の移動方向Ｘにばね力を付加する。従来と異なり、シャフト７はオンオフボタン６ａのオンオフ方向Ｙに対して直交する方向（移動方向）Ｘに移動して押圧するので、オンオフボタン６ａに直接オンオフ方向Ｙに大きな押圧力がかからないから、タンパースイッチ３が破損しにくい。なお、このオンオフボタン６ａに、揺動変位可能な例えば図２（Ｂ）のような形状のレバー１１を付加するようにしてもよい。
【００２０】
図１のセンサユニット２内に、シャフト７の移動方向Ｘにスペース１０が設けられ、壁面Ｋの凹凸に応じて、スペース１０内でシャフト７の移動量（ストローク）を吸収して、オンオフボタン６ａのオン状態を保持するとともに、当該移動方向Ｘにおけるセンサユニット２の取り外しによりオンオフボタン６ａがオフ状態となる。このスペース１０は、スイッチ本体６のオンオフボタン６ａ側（図ではスイッチ本体６の下方側）でシャフト７の移動方向Ｘにおけるオンオフボタン６ａ位置を超えた前方を含む。
【００２１】
シャフト７は、例えば、四角筒状のシャフトハウジング１２内を移動する四角柱状のシャフト本体７ｂを有し、その前端部が二又に分かれて先端のテーパ部７ａと抜け止め９が形成されている。シャフト本体７ｂの後部には壁面Ｋに接する四角柱状の膨出部７ｃが形成されている。シャフトハウジング１２の前端部の頂壁１３には矩形の貫通孔１４が形成されており、四角柱状のシャフト本体７ｂが貫通孔１４を貫通することにより、シャフト７の周方向への回り止めがなされている。なお、シャフト７の周方向の回り止めは、上記四角筒状のシャフトハウジング１２および四角柱状のシャフト本体７ｂの構造に何ら限定されず、四角以外の形状など種々の周知構造を使用することができる。
【００２２】
シャフト７のテーパ部７ａは次第に先細りとなるテーパ形状になっている。テーパ部７ａはシャフト７のオンオフボタン６ａとの対向面（上面）に形成されている。これにより、シャフト７の先端が、Ｙ方向に突出するオンオフボタン６ａに引っ掛かることなく、Ｘ方向の移動に伴ってテーパ部７ａから直線状のシャフト本体７ｂへスムーズに押圧することができる。圧縮ばね８は、前端部が頂壁１３に圧接され、後端部がシャフト本体７ｂと膨出部７ｃとの間の段部１５に圧接されて、頂壁１３と段部１５間で圧縮されている。
【００２３】
また、シャフト７の先端のテーパ部７ａに隣接して設けられた抜け止め９は、防犯センサ１を壁面Ｋに設置する前に防犯センサ１からシャフト７が脱離するのを防止することができる。なお、抜け止め９は必要に応じて省略してもよい。
【００２４】
バックボックスＢの背面側下部および取付ベース４の下部は開口されており、シャフト７は移動方向Ｘにセンサユニット２内から壁面Ｋ側へ突出可能となっている。この例では、タンパースイッチ３のシャフト７は、移動方向Ｘに壁面Ｋの凹部Ｋ１に相対しており、取付ベース４の開口４ａを介して凹部Ｋ１に突出可能となっている。
【００２５】
このシャフト７の長さは、その取付面が壁面Ｋのうち凹部Ｋ１である場合に想定される最大凹のときに対応した長さに設定される。最大凹のときに最も長いシャフト長が必要となり、このときシャフト７のシャフト本体７ｂをオンオフボタン６ａに到達させて、タンパースイッチ３をオン状態にすることができる。
【００２６】
前記スペース１０の大きさは、シャフト７の取付面が凸部Ｋ２（図３）である場合に想定される最大の凸に対応させている。このとき、シャフト７の移動方向Ｘの移動量が最も大きくなり、この場合でも移動後のシャフト７を収納するスペース１０が確保される。
【００２７】
図１で矢印方向Ａにセンサユニット２が壁面Ｋに押し付けられると、シャフトのテーパ部７ａがオンオフボタン６ａを押圧し始め、図２（Ａ）のように、テーパ部７ａ終端の近傍でタンパースイッチ３はオン状態となる。直線状のシャフト本体７ｂではオン状態が継続される。
【００２８】
すなわち、この例では、従来のようにシャフトの移動方向がオンオフボタンのオンオフ方向と一致してオンオフボタンを押圧するのではなく、オンオフボタン６ａのオンオフ方向Ｙとシャフト７の移動方向Ｘとが直交するように配置されて、シャフト７がテーパ部７ａからシャフト本体７ｂへオンオフボタン６ａ上を移動方向Ｘに移動するのに伴ってこれを押圧することにより、オン状態とするようになっているとともに、シャフト７の移動方向Ｘの前方にスペース１０が設けられている。これによって、従来は、シャフトの移動方向の前方にスイッチ本体が配置されてシャフトの移動量吸収に一定の限界があったが、本発明では、シャフト７の移動方向Ｘの前方にスイッチ本体６ではなくスペース１０が配置されているので、スペース１０内でシャフト７の移動量吸収が可能となり、凹凸が種々の大きさの壁面Ｋに対応して、タンパースイッチ付き防犯センサ１を容易に取り付けすることができる。
【００２９】
図３は、タンパースイッチ３のシャフト７が移動方向Ｘに壁面Ｋの凸部Ｋ２に相対している状態を示しており、この取付面の凸部Ｋ２が取付ベース４の開口４ａを介して防犯センサ１側に突出している。これに伴って、シャフト７は、図２と比べてスペース１０内で移動方向Ｘに大きく（図では左方に）移動している。その他の構成は、図１と同様である。
【００３０】
図４はこのタンパースイッチ付き防犯センサ１の動作を示す部分拡大図である。防犯センサ１が平面状の壁面に設置される場合と比べて、（Ａ）のように、凹部Ｋ１を含む壁面Ｋに設置される場合には、スペース１０内でシャフト７は移動方向Ｙに小さく（図では右方に）移動しており、オン状態を保持するシャフト７の移動量が小さくなる（Ｌ１）。（Ｂ）のように、凸部Ｋ２を含む壁面Ｋに設置される場合には、スペース１０内でシャフト７は移動方向Ｘに大きく（図では左方に）移動しており、オン状態を保持するシャフト７の移動量が大きくなる（Ｌ２）。
【００３１】
このように、シャフト長を凹部Ｋ１の最大の凹に対応させて設定し、シャフト７の移動方向Ｘの前方に凸部Ｋ２の最大の凸に対応させたスペース１０を設けることにより、凸部Ｋ２の大きさに伴って移動量が異なるシャフト７をスペース１０内に収納することが可能となるので、移動後のシャフト７の前方突出分をスペース１０内に逃がす（吸収する）ことができるから、壁面Ｋの凹凸に対応してタンパースイッチ３を容易に安定的に動作させることが可能となる。
【００３２】
この場合、図１の矢印方向Ａと逆方向にセンサユニット２が壁面Ｋから取り外される際に、図４（Ａ）の移動方向Ｘの取り外し量は、（Ａ）の方が（Ｂ）よりもシャフト７によるオン状態が短いので、（Ｂ）の移動方向Ｘの取り外し量と比べて小さくなる。つまり（Ａ）ではセンサユニット２は移動方向Ｘ（図では左方）に（Ｂ）よりも小さく引き出して取り外される。
【００３３】
こうして、本発明は、一定長さのシャフトがタンパースイッチのオンオフボタンのオンオフ方向に対して直交する方向に移動するように配置され、シャフトの移動方向におけるスイッチ本体のオンオフボタン位置を超えた前方を含むスペースが設けられ、壁面の凹凸に応じて、前記スペース内で前記シャフトの移動量を吸収して、オンオフボタンのオン状態を保持する。したがって、シャフトがオンオフボタンのオンオフ方向に対して直交する方向（移動方向）に移動し、かつシャフトの移動量を吸収するスペースが確保されているので、壁面の凹凸が大きくても容易にこれに対応してタンパースイッチを安定的に動作させることができる。また、従来と異なり、シャフトが移動方向に移動してオンオフボタンを押圧するので、オンオフボタンに直接大きな押圧力がかからないから、タンパースイッチが破損しにくい。これにより、設置する壁面の凹凸が大きくても、簡単な構造でこれに対応することができ、タンパースイッチを容易に動作させることが可能となる。
【００３４】
なお、上記実施形態では、センサ部は、受動型赤外線（ＰＩＲ）センサを使用しているが、能動型赤外線（ＡＩＲ）センサやマイクロウェーブ（ＭＷ）センサなどを使用してもよい。
【００３５】
なお、上記実施形態では、圧縮ばね８をシャフト７に取り付けてその軸外周に配置しているが、これに代えて、防犯センサ１がバックボックスＢを有しない場合、シャフト７の前方に配置してもよい。これにより、バックボックスＢがない分、タンパースイッチ３と壁面Ｋとの距離が短くなる場合にも対応することができる。
【００３６】
本発明は、以上の実施形態に限定されるものでなく、本発明の要旨を逸脱しない範囲内で、種々の追加、変更または削除が可能である。したがって、そのようなものも本発明の範囲内に含まれる。
【符号の説明】
【００３７】
１：タンパースイッチ付き防犯センサ
２：センサユニット
３：タンパースイッチ
６：スイッチ本体
６ａ：オンオフボタン
７：シャフト
７ａ：テーパ部
７ｂ：シャフト本体
８：圧縮ばね
１０：スペース
Ｋ：壁面
Ｓ：センサ部
Ｘ：シャフトの移動方向
Ｙ：オンオフボタンのオンオフ方向
【図１】
0006392580.tif 000002
【図２】
0006392580.tif 000003
【図３】
0006392580.tif 000004
【図４】
0006392580.tif 000005
【図５】
0006392580.tif 000006